(57)【要約】【課題】複数のアンテナからの回り込み波の影響を除去できる無線中継装置を提供する。【解決手段】第１及び第２受信部と、第１及び第２生成部と、第１及び第２除去部と、第１及び第２送信部と、第１及び第２切替部と、を備え、第１切替部が第１送信部からの信号の送信を遮断した時、第１及び第２生成部は、第２送信部からの回り込み波の信号を除去するウェイトを生成し、第２切替部が第２送信部からの信号の送信を遮断した時、第１及び第２生成部は、第１送信部からの回り込み波の信号を除去するウェイトを生成し、第１除去部は、第１受信部が受信した信号から、第１生成部が生成したウェイトに基づいて、第１及び第２送信部からの無線信号による回り込み波の信号を、除去し、第２除去部は、第２受信部が受信した信号から、第２生成部が生成したウェイトに基づいて、第１及び第２送信部からの無線信号による回り込み波の信号を、除去する、無線中継装置とした。【選択図】図６
2010103719.tif 000002
【特許請求の範囲】
【請求項１】
無線信号を受信する第１受信部と、
前記第１受信部で受信された無線信号から、前記無線信号を基に単一の送信部から外部へ中継信号を送信したときに前記第１受信部に回り込んで受信される回り込み波を除去する回り込み波除去信号であって前記中継信号の振幅および位相を設定可能な比率で変化させて生成される回り込み波除去信号を除去した合成信号の信号電力を最小化したときの前記比率である回り込み波除去ウェイトを生成する第１生成部と、
前記第１受信部が受信した信号から、前記第１生成部が生成した回り込み波除去ウェイトに応じた回り込み波の信号を除去した信号を出力する第１除去部と、
前記第１除去部が出力した信号を無線信号として送信する第１送信部と、
前記第１送信部からの信号の送信を遮断する第１切替部と、
無線信号を受信する第２受信部と、
前記第２送信部で受信された無線信号から、前記無線信号を基に単一の送信部から外部へ中継信号を送信したときに前記第２受信部に回り込んで受信される回り込み波を除去する回り込み波除去信号であって前記中継信号の振幅および位相を設定可能な比率で変化させて生成される回り込み波除去信号を除去した合成信号の信号電力を最小化したときの前記比率である回り込み波除去ウェイトを生成する第２生成部と、
前記第２受信部が受信した信号から、前記第２生成部が生成した回り込み波除去ウェイトに基づいて回り込み波の信号を除去した信号を出力する第２除去部と、
前記第２除去部が出力した信号を無線信号として送信する第２送信部と、
前記第２送信部からの信号の送信を遮断する第２切替部と、を備え、
前記第１切替部が第１送信部からの信号の送信を遮断した時に、第１生成部は、前記第２送信部からの無線信号による回り込み波の信号を第１受信部での受信信号から除去する回り込み波除去のための第３ウェイトを生成するとともに、第２生成部は、前記第２送信部からの無線信号による回り込み波の信号を第２受信部での受信信号から除去する回り込み波除去のための第２ウェイトを生成し、
前記第２切替部が第２送信部からの信号の送信を遮断した時に、第１生成部は、前記第１送信部からの無線信号による回り込み波の信号を第１受信部での受信信号から除去する回り込み波除去のための第１ウェイトを生成するとともに、第２生成部は、前記第１送信部からの無線信号による回り込み波の信号を第２受信部での受信信号から除去する回り込み波除去のための第４ウェイトを生成し、
前記第１除去部は、前記第１受信部が受信した信号から、第１送信部によって送信されるべき送信信号の振幅および位相を前記第１ウェイトで指定される比率で変化させた信号と、第２送信部によって送信されるべき送信信号の振幅および位相を前記第３ウェイトで指定される比率で変化させた信号と、を除去した信号を出力し、
前記第２除去部は、前記第２受信部が受信した信号から、第１送信部によって送信されるべき送信信号の振幅および位相を前記第４ウェイトで指定される比率で変化させた信号と、第２送信部によって送信されるべき送信信号の振幅および位相を前記第２ウェイトで指定される比率で変化させた信号と、を除去した信号を出力する、
無線中継装置。
【請求項２】
複数の送信アンテナから送信する送信信号を複数のアンテナで受信する多入力多出力（ＭＩＭＯ）伝送が行われない期間を検出する検出部と、
前記検出部が検出したＭＩＭＯ伝送が行われない期間に、信号の送信を遮断することを、前記第１切替部又は第２切替部に指示する指示部と、
をさらに備える請求項１に記載の無線中継装置。
【請求項３】
前記検出部は、他の無線装置が送信するＭＩＭＯ伝送が行われない期間の情報を受信し、当該情報に基づいて、ＭＩＭＯ伝送が行われない期間を検出する、
請求項２に記載の無線中継装置。
【請求項４】
無線信号を受信する受信部と、
前記受信部で受信された無線信号から、前記無線信号を基に単一の送信部から外部へ中継信号を送信したときに前記受信部に回り込んで受信される回り込み波を除去する回り込み波除去信号であって前記中継信号の振幅および位相を設定可能な比率で変化させて生成される回り込み波除去信号を除去した合成信号の信号電力を最小化したときの前記比率である回り込み波除去ウェイトを生成する生成部と、
前記受信部が受信した信号から、前記生成部が生成した回り込み波除去ウェイトに基づいて回り込み波の信号を除去した信号を出力する除去部と、
前記除去部が出力した信号を無線信号として送信する送信部と、を含む中継部を複数備え、
前記複数の中継部のうち、１つの中継部の前記送信部から無線信号を送信し、当該中継部以外の前記送信部からの無線信号の送信を遮断する切替部を、さらに備え、
前記切替部は、無線信号を送信する１つの中継部を、順番に切り替え、
前記各中継部の生成部は、前記無線信号を送信する１つの中継部の送信部からの無線信号による回り込み波の信号を前記各中継部の受信部での受信信号から除去する回り込み波除去のためのウェイトを、前記無線信号を送信する１つの中継部の送信部毎に、生成し、
各中継部の前記除去部は、当該中継部の前記受信部が受信した信号から、当該中継部の前記生成部が生成した、前記送信部毎のウェイトに基づいて、各送信部からの回り込み波の信号を、除去した信号を出力する、
無線中継装置。
【請求項５】
ＭＩＭＯ伝送が行われない期間を検出する検出部と、
前記検出部が検出したＭＩＭＯ伝送が行われない期間に、無線信号を送信する１つの中継部を順番に切り替えることを、前記切替部に指示する指示部と、
をさらに備える請求項４に記載の無線中継装置。
【請求項６】
前記検出部は、他の無線装置が送信するＭＩＭＯ伝送が行われない期間の情報を受信し、当該情報に基づいて、ＭＩＭＯ伝送が行われない期間を検出する、
請求項５に記載の無線中継装置。
【発明の詳細な説明】
【技術分野】
【０００１】
本件は、複数の送信アンテナから送信する送信信号を複数のアンテナで受信する多入力多出力通信であるＭＩＭＯ（Multiple Input Multiple Output）通信方式における無線中継装置に関する。
【背景技術】
【０００２】
図１は、無線中継装置の利用形態の例を示す図である。
【０００３】
無線中継装置は、無線基地局から距離が離れたエリアや、建物内や地下街など電波の受信強度が極端に低いエリアに向けて、無線基地局から受信した電波を増幅して送信することで中継を行う。セルラ移動通信において、図１のように、無線中継装置が、無線基地局と端末との間の中継を行う場合は、無線基地局からの信号を受信して端末に向けて送信する場合と、端末からの信号を受信して無線基地局に向けて送信する場合との、双方向の中継を行う。
【０００４】
無線中継装置が増幅して送信した信号が自装置の受信アンテナで受信され、さらに増幅されることにより生じる発振を如何にして防ぐかは、重要な課題である。発振を防ぐためには、無線中継装置の送信アンテナと受信アンテナと間のアイソレーションを大きくとる工夫がなされる。具体的には、無線中継装置の送信アンテナと受信アンテナとの間の距離を離すこと、送信アンテナと受信アンテナとの間に遮蔽物を設けること、送信アンテナ及び受信アンテナの指向性や偏波を調整することなどが、挙げられる。
【０００５】
しかしながら、電波は、反射、回折、透過などによって、周辺の環境に応じて、送信アンテナから受信アンテナに回り込んでしまう。そのため、送信アンテナと受信アンテナとの間のアイソレーションを物理的に確保するだけでなく、送信アンテナから受信アンテナに回り込む干渉波を信号処理によって除去する回り込み波除去技術を併用することが一般的である。例えば、無線中継装置の中継利得を７０ｄＢとすると、中継する信号のＳ／Ｎ比（Signal to Noise Ratio）を１０ｄＢ以上確保するためには、送信アンテナと受信ア
ンテナとの間のアイソレーションと回り込み波の抑圧性能との合計で８０ｄＢ以上の回り込み波の減衰を確保する必要がある。
【０００６】
このように、無線中継装置では、送信アンテナと受信アンテナとの間のアイソレーションと回り込み波除去技術は非常に重要である。特に、回り込み波除去性能が大きい場合、送信アンテナと受信アンテナとの間のアイソレーションの制限を緩和できる。そのため、無線中継装置の設置方法の制約が少なくなり、無線中継装置の導入を容易にすることができる。
【０００７】
回り込み波除去の具体的な方法として、例えば次のような技術がある。（非特許文献１、特許文献１、特許文献２。）
送信信号に回り込み波除去ウェイトを乗算した信号を受信信号からキャンセルする構成とし、キャンセル後の信号電力が最小化となるようにアダプティブアルゴリズムによって回り込み波除去ウェイトを算出する方法がある。
【０００８】
図２は、従来の無線中継装置の構成例を示す図である。
【０００９】
図２の無線中継装置では、アダプティブアルゴリズムを使用して回り込み波を除去する方法を使用している。受信アンテナには、無線基地局からの信号と回り込み波とが合成さ
れた信号が入力される。受信部は、フィルタによる必要な帯域の抽出、ダウンコンバータによるベースバンド信号への変換、ＡＧＣ（Auto Gain Control）による信号レベルの調
整、Ａ／Ｄ（Analog to Digital）変換器によるデジタル信号への変換などの処理を行う
。デジタル信号は、送信部において、Ｄ／Ａ（Digital to Analog）変換器によって再度
アナログベースバンド信号に変換される。アナログベースバンド信号は、アップコンバータでＲＦ（Radio Frequency）信号に変換され、増幅器によって増幅された後、送信アン
テナから送信される。
【００１０】
回り込み波除去ウェイト生成部には、回り込み波キャンセル後の信号と、送信信号を回り込み波に合わせて遅延させた信号とが入力される。回り込み波除去ウェイト生成部では、ＬＭＳ（Least Mean Square）アルゴリズムにより、回り込み波キャンセル（除去）後の信号電力を最小化する回り込み波除去ウェイトＷが生成される。回り込み波除去ウェイトＷに送信信号を遅延させた信号を乗算した値が、受信信号から差し引かれる。差し引かれた結果が、回り込み波キャンセル（除去）後の信号である。回り込み波キャンセル後の信号は、送信信号となる。
【００１１】
上記技術では、無線中継装置からパイロット信号を送信し、回り込み波の伝搬路状態を推定し、回り込み波除去ウェイトを算出している。パイロット信号を使用した回り込み波除去方法は、回り込み波の伝搬特性を直接計算できるが、パイロット信号を送信することにより、中継する信号以外に不要な干渉波を送信する。
【非特許文献１】伊藤  和人、外１名、「適応干渉キャンセラを用いた無線呼出し用ブースタ」、信学技報、社団法人  電磁情報通信学会、１９９９年８月、ＲＣＳ９９−７８
【特許文献１】特開２００３−１７４３９２号公報
【特許文献２】特開２００５−２３６６２６号公報
【発明の開示】
【発明が解決しようとする課題】
【００１２】
次世代の移動通信システムでは、ＭＩＭＯ（Multiple Input Multiple Output）と呼ばれる通信方式を用いて、より高速なデータ通信が行われる。ＭＩＭＯ通信方式では、複数の送信アンテナを用いて独立した複数のデータチャネルを同一時刻かつ同一周波数で送信する。受信側では複数の受信アンテナを用いてＭＩＭＯチャネルを形成することで、複数のデータチャネルを分離して復調することができる。
【００１３】
また、次世代の移動通信システムでは、広帯域伝送が行われるため、より高いキャリア周波数が使用される。周波数が高いほど距離減衰が大きくなることから、電波が届きにくいエリアが増えることが予想される。そのため、次世代の移動通信システムにおいては無線中継装置の必要性が増加する。このような背景から、次世代の移動通信システムでは、ＭＩＭＯ信号を中継することにより、高速データ通信を広いエリアで実現する技術が求められる。
【００１４】
図３は、ＭＩＭＯ通信システムの例を示す図である。
【００１５】
ＭＩＭＯ信号を中継するためには、１つの送信アンテナと１つの受信アンテナを用いた無線中継装置１系統では不十分である。ＭＩＭＯ信号を中継するには、図３に示すように複数の中継が必要になる。図３のＭＩＭＯ中継システムは、無線基地局に２本の送信アンテナを有し、端末に２本の受信アンテナを有する。図３の例では、２系統の無線中継を行うことにより、２×２の独立したＭＩＭＯチャネルの中継を可能にしている。
【００１６】
図３は、無線基地局から端末への下りリンクの中継の様子を示しているが、端末から無
線基地局への上りリンクにおいてもＭＩＭＯ伝送を行う場合は、複数の中継が必要になる。以降の説明では、簡略化のために、片方向の無線中継だけを例にして説明する。
【００１７】
ＭＩＭＯ信号を中継する無線中継装置では、複数の送信アンテナから独立した信号を同時に中継する。よって、無線中継装置の受信アンテナでは複数の送信アンテナからの複数の独立した回り込み波が受信される。
【００１８】
図４は、図２で示した従来の中継装置を２系統並べることでＭＩＭＯ中継を実現した場合の構成例を示す図である。図４の例では、第１受信アンテナには第１送信アンテナからの回り込み波だけでなく、第２送信アンテナからの回り込み波も受信される。図４の構成では、第１中継系統では第１送信アンテナからの回り込み波を除去する回り込み波除去ウェイトしか生成できないため、第２送信アンテナからの回り込み波の影響を除去することができない。
【００１９】
一方、回り込み波除去ウェイト算出用のパイロット信号を無線中継装置から送信して回り込み波除去ウェイトを推定する方法では、複数の送信アンテナから送信するパイロット信号が直交してさえいれば、独立した回り込み波に対するウェイトをそれぞれ算出することが可能である。
【００２０】
しかしながら、この方法では、複数のパイロット信号を中継装置で付加して送信することになるため、本来中継すべきデータ信号に対する干渉が増大する問題が生じる。また、回り込み波除去のために、特殊なパイロット信号を用意するには、通信システムの仕様そのものを変更して回り込み波除去を行う。したがって、ＭＩＭＯ信号の無線中継装置において、特殊なパイロット信号を用いずに、比較的簡易なアダプティブアルゴリズムを用いて回り込み波除去ウェイトを生成し、回り込み波を除去することが望ましい。
【００２１】
本件は、複数の送信アンテナからによる回り込み波の影響を除去することを目的とする。
【課題を解決するための手段】
【００２２】
開示の無線中継装置は、上記課題を解決するために、以下の手段を採用する。
【００２３】
即ち、第１の態様は、
無線信号を受信する第１受信部と、
前記第１受信部で受信された無線信号から、前記無線信号を基に単一の送信部から外部へ中継信号を送信したときに前記第１受信部に回り込んで受信される回り込み波を除去する回り込み波除去信号であって前記中継信号の振幅および位相を設定可能な比率で変化させて生成される回り込み波除去信号を除去することで合成信号を生成したときに、前記合成信号の信号電力を最小化したときの前記比率として算出される回り込み波除去ウェイトを生成する第１生成部と、
前記第１受信部が受信した信号から、前記第１生成部が生成した回り込み波除去ウェイトに基づいて回り込み波の信号を、除去した信号を出力する第１除去部と、
前記第１除去部が出力した信号を無線信号として送信する第１送信部と、
前記第１送信部からの信号の送信を遮断することができる第１切替部と、
無線信号を受信する第２受信部と、
前記第２送信部で受信された無線信号から、前記無線信号を基に単一の送信部から外部へ中継信号を送信したときに前記第２受信部に回り込んで受信される回り込み波を除去する回り込み波除去信号であって前記中継信号の振幅および位相を設定可能な比率で変化させて生成される回り込み波除去信号を除去することで合成信号を生成したときに、前記合成信号の信号電力を最小化したときの前記比率として算出される回り込み波除去ウェイト
を生成する第２生成部と、
前記第２受信部が受信した信号から、前記第２生成部が生成した回り込み波除去ウェイトに基づいて回り込み波の信号を、除去した信号を出力する第２除去部と、
前記第２除去部が出力した信号を無線信号として送信する第２送信部と、
前記第２送信部からの信号の送信を遮断することができる第２切替部と、を備え、
前記第１切替部が第１送信部からの信号の送信を遮断した時に、第１生成部は、前記第２送信部からの無線信号による回り込み波の信号を第１受信部での受信信号から除去する回り込み波除去のための第３ウェイトを生成するとともに、第２生成部は、前記第２送信部からの無線信号による回り込み波の信号を第２受信部での受信信号から除去する回り込み波除去のための第２ウェイトを生成し、
前記第２切替部が第２送信部からの信号の送信を遮断した時に、第１生成部は、前記第１送信部からの無線信号による回り込み波の信号を第１受信部での受信信号から除去する回り込み波除去のための第１ウェイトを生成するとともに、第２生成部は、前記第１送信部からの無線信号による回り込み波の信号を第２受信部での受信信号から除去する回り込み波除去のための第４ウェイトを生成し、
前記第１除去部は、前記第１受信部が受信した信号から、第１送信部によって送信されるべき送信信号の振幅および位相を前記第１ウェイトで指定される比率で変化させた信号と、第２送信部によって送信されるべき送信信号の振幅および位相を前記第３ウェイトで指定される比率で変化させた信号と、を除去した信号を出力し、
前記第２除去部は、前記第２受信部が受信した信号から、第１送信部によって送信されるべき送信信号の振幅および位相を前記第４ウェイトで指定される比率で変化させた信号と、第２送信部によって送信されるべき送信信号の振幅および位相を前記第２ウェイトで指定される比率で変化させた信号と、を除去した信号を出力する、
無線中継装置とした。
【００２４】
また、第２の態様は、
無線信号を受信する受信部と、
前記受信部で受信された無線信号から、前記無線信号を基に単一の送信部から外部へ中継信号を送信したときに前記受信部に回り込んで受信される回り込み波を除去する回り込み波除去信号であって前記中継信号の振幅および位相を設定可能な比率で変化させて生成される回り込み波除去信号を除去することで合成信号を生成したときに、前記合成信号の信号電力を最小化したときの前記比率として算出される回り込み波除去ウェイトを生成する生成部と、
前記受信部が受信した信号から、前記生成部が生成した回り込み波除去ウェイトに基づいて回り込み波の信号を、除去した信号を出力する除去部と、
前記除去部が出力した信号を無線信号として送信する送信部と、を含む中継部を複数備え、
前記複数の中継部のうち、１つの中継部の前記送信部から無線信号を送信し、当該中継部以外の前記送信部からの無線信号の送信を遮断する切替部を、さらに備え、
前記切替部は、無線信号を送信する１つの中継部を、順番に切り替え、
前記各中継部の生成部は、前記無線信号を送信する１つの中継部の送信部からの無線信号による回り込み波の信号を前記各中継部の受信部での受信信号から除去する回り込み波除去のためのウェイトを、前記無線信号を送信する１つの中継部の送信部毎に、生成し、
各中継部の前記除去部は、当該中継部の前記受信部が受信した信号から、当該中継部の前記生成部が生成した、前記送信部毎のウェイトに基づいて、各送信部からの回り込み波の信号を、除去した信号を出力する、
無線中継装置とした。
【発明の効果】
【００２５】
開示の態様によれば、複数の送信アンテナからによる回り込み波の影響を除去できる。
【発明を実施するための最良の形態】
【００２６】
以下、図面を参照して実施形態について説明する。実施形態の構成は例示であり、開示の実施形態の構成に限定されない。
【００２７】
〔実施形態〕
ここでは、無線基地局からの電波を受信して端末に向けて電波を送信する無線中継装置について説明するが、当該無線中継装置は端末からの電波を受信して無線基地局に向けて電波を送信する無線中継装置に対しても同様に適用できる。
【００２８】
（構成例）
図５は、無線中継装置の構成例を示す図である。
【００２９】
無線中継装置１０は、第１受信アンテナ１２１、第２受信アンテナ１２２、いずれかの受信アンテナから信号を受信する受信部１０２、複数の加算部１０８、複数の乗算部１１０を有する。また、無線中継装置１０は、第１の回り込み波除去ウェイト生成部１４１、第２の回り込み波ウェイト生成部１４２、複数の遅延（Delay）部１０６を有する。さらに、無線中継装置１０は、第１送信アンテナ１３１、第２送信アンテナ１３２、いずれかの送信アンテナから信号を送信する送信部１０４を有する。
【００３０】
第１受信アンテナ１２１と、第１受信アンテナに接続される受信部１０２と、第１の回り込み波除去ウェイト生成部１４１と、第１送信アンテナに接続される送信部１０４と、第１送信アンテナ１３１、及び、これらに付随する構成要素は、第１中継系統を形成する。
【００３１】
同様に、第２受信アンテナ１２２と、第２受信アンテナに接続される受信部１０２と、第２の回り込み波除去ウェイト生成部１４２と、第２送信アンテナに接続される送信部１０４と、第２送信アンテナ１３２、及び、これらに付随する構成要素は、第２中継系統を形成する。
【００３２】
第１の回り込み波除去ウェイト生成部１４１には、第１中継系統の受信信号から第１中継系統の送信信号を遅延させた信号及び第２中継系統の送信信号を遅延させた信号の和と回り込み波除去ウェイトとを乗算した信号を除去した信号と、第１中継系統の送信信号を遅延させた信号と、第２中継系統の送信信号を遅延させた信号と、が入力される。第１の回り込み波除去ウェイト生成部１４１は、アダプティブアルゴリズムにより、入力されたこれらの信号を使用して、第１中継系統の回り込み波除去ウェイトを算出する。第１の回り込み波除去ウェイト生成部１４１は、他のアルゴリズムにより、第１中継系統の回り込み波除去ウェイトを算出してもよい。
【００３３】
受信部１０２は、フィルタによる必要な帯域の抽出、ダウンコンバータによるベースバンド信号への変換、ＡＧＣ（Auto Gain Control）による信号レベルの調整、Ａ／Ｄ（Analog to Digital）変換器によるデジタル信号への変換などの処理を行う。
【００３４】
無線中継装置１０は、第１の回り込み波除去ウェイト生成部１４１が生成した回り込み波除去ウェイトと、第１中継系統の送信信号を遅延させた信号及び第２中継形等の送信信号を遅延させた信号の和とを乗算器１１０で乗算する。無線中継装置１０は、さらに、乗算した結果を、第１中継系統の受信信号（受信部１０２の出力）から、加算器１０８で、除去する。これが、送信信号となり、送信部１０４で、アナログ信号に変換され、アップコンバータでＲＦ（Radio Frequency）信号に変換され、増幅されて、第１送信アンテナ
から送信される。
【００３５】
無線中継装置１０の第２中継系統についても同様である。
【００３６】
無線中継装置１０の各回り込み波除去ウェイト生成部は、従来の回り込み波除去ウェイト生成部とは異なり、第１中継系統と第２中継系統との両方の送信信号に基づいて、第１送信アンテナ及び第２送信アンテナの両方からの回り込み波に対する回り込み波除去ウェイトの生成を行う。受信信号及び送信信号のパラメータは、振幅及び位相を含む。
【００３７】
しかしながら、無線中継装置１０の各回り込み波除去ウェイト生成部では、２つの独立した送信信号の入力を基にして、２つの独立した回り込み波による干渉を除去しなければならない。そのため、回り込み波除去ウェイトの演算が難しくなる。また、アダプティブアルゴリズムによるウェイト計算が収束しないと、最適な回り込み波ウェイトが算出されない。このとき、無線中継装置１０の回り込み波の除去性能が劣化するため、無線中継装置１０は十分な中継利得を確保できなくなる場合がある。
【００３８】
（構成例１）
図６は、無線中継装置の構成例１を示す図である。図６の無線中継装置１００は、中継系統毎にＯＮ／ＯＦＦ切替部を有し、各中継系統の送信を制御することができる。
【００３９】
無線中継装置１００は、第１受信アンテナ１２１、第２受信アンテナ１２２、いずれかの受信アンテナから信号を受信する受信部１０２、複数の加算部１０８、複数の乗算部１１０を有する。また、無線中継装置１００は、第１の回り込み波除去ウェイト生成部１４１、第２の回り込み波ウェイト生成部１４２、第１ＯＮ／ＯＦＦ切替部１５１、第２ＯＮ／ＯＦＦ切替部１５２、複数の遅延（Delay）部１０６を有する。さらに、無線中継装置
１００は、第１送信アンテナ１３１、第２送信アンテナ１３２、いずれかの送信アンテナから信号を送信する送信部１０４を有する。
【００４０】
第１受信アンテナ１２１と、第１受信アンテナに接続される受信部１０２と、第１の回り込み波除去ウェイト生成部１４１と、第１ＯＮ／ＯＦＦ切替部１５１と、第１送信アンテナに接続される送信部１０４と、第１送信アンテナ１３１、及び、これらに付随する構成要素は、第１中継系統を形成する。
【００４１】
同様に、第２受信アンテナ１２２と、第２受信アンテナに接続される受信部１０２と、第２の回り込み波除去ウェイト生成部１４２と、第２ＯＮ／ＯＦＦ切替部１５２と、第２送信アンテナに接続される送信部１０４と、第２送信アンテナ１３２、及び、これらに付随する構成要素は、第２中継系統を形成する。
【００４２】
これらの処理部のうち、任意の複数を、１つの処理部としてもよい。また、これらの処理部のうち任意の１つが、複数の処理部としての処理を行ってもよい。これらの各処理部は、ハードウェアとしても、ソフトウェアとしても実現され得る。以後に記載される構成要素についても同様である。
【００４３】
第１受信アンテナ１２１及び第２受信アンテナ１２２は、それぞれ、無線基地局からの信号を受信する。
【００４４】
受信部１０２は、第１受信アンテナ１２１又は第２受信アンテナ１２２が受信した無線基地局からの信号をデジタル信号に変換する。受信部１０２は、フィルタによる必要な帯域の抽出、ダウンコンバータによるベースバンド信号への変換、ＡＧＣ（Auto Gain Control）による信号レベルの調整、Ａ／Ｄ（Analog to Digital）変換器によるデジタル信号への変換などの処理を行う。
【００４５】
加算部１０８は、加算部１０８に接続される乗算部１１０が乗算した結果を、受信信号から除去する。
【００４６】
第１ＯＮ／ＯＦＦ切替部１５１及び第２ＯＮ／ＯＦＦ切替部１５２は、連動して、どちらか一方をＯＮに設定し、他方をＯＦＦに設定することで、片方の中継系統の送信信号を遮断する。一方の中継系統だけをＯＮに設定することで、無線中継装置１００は、１つの送信アンテナからのみ中継を行い、１つの送信アンテナからのみ回り込み波が発生させることができる。第１ＯＮ／ＯＦＦ切替部１５１及び第２ＯＮ／ＯＦＦ切替部１５２は、通常は、どちらもＯＮに設定し、どちらの中継系統の送信信号も遮断しない。第１ＯＮ／ＯＦＦ切替部１５１及び第２ＯＮ／ＯＦＦ切替部１５２は、ＯＮ又はＯＦＦの設定を、各回り込み波除去ウェイト生成部に、通知する。
【００４７】
第１の回り込み波除去ウェイト生成部１４１には、第１中継系統の受信信号から送信信号を遅延させた信号と回り込み波除去ウェイトとを乗算した信号を除去した信号と、第１中継系統の送信信号を遅延させた信号と、第２中継系統の送信信号を遅延させた信号と、が入力される。第１の回り込み波除去ウェイト生成部１４１は、アダプティブアルゴリズムにより、入力されたこれらの信号を使用して、第１中継系統の回り込み波除去ウェイトを算出する。第１の回り込み波除去ウェイト生成部１４１は、他のアルゴリズムにより、第１中継系統の回り込み波除去ウェイトを算出してもよい。受信信号及び送信信号のパラメータは、振幅及び位相を含む。回り込み波除去ウェイトは、受信信号の振幅及び位相を設定可能な比率で変化させて生成される回り込み波除去信号を受信信号から除去した合成信号の信号電力を最小化したときの該比率であるとすることができる。
【００４８】
第１の回り込み波除去ウェイト生成部１４１は、第１ＯＮ／ＯＦＦ切替部１５１又は第２ＯＮ／ＯＦＦ切替部１５２により、一方の送信信号が遮断されているときに、第１中継系統の回り込み波除去ウェイトを算出する。このとき、第１の回り込み波除去ウェイト生成部１４１に入力される、第１中継系統の送信信号を遅延させた信号及び第２中継系統の送信信号を遅延させた信号のうち一方は、０である。よって、第１の回り込み波除去ウェイト生成部１４１は、第１送信アンテナによる回り込み波除去ウェイトと、第２送信アンテナによる回り込み波除去ウェイトとを、算出することができる。
【００４９】
遅延部１０６は、送信信号を回り込み波に合わせて遅延させた信号を出力する。
【００５０】
送信部１０４は、送信信号をアナログ信号に変換し、第１送信アンテナ１３１又は第２送信アンテナ１３２に送信する。送信部１０４は、Ｄ／Ａ（Digital to Analog）変換器
、ＲＦ信号に変換するアップコンバータ、増幅器を含む。
【００５１】
第１送信アンテナ１３１及び第２送信アンテナ１３２は、それぞれ、端末に向けて信号を送信する。
【００５２】
ここでは、無線中継装置が２つの中継系統を有する例を示したが、同様の構成により、２以上の中継系統を有する構成とすることも可能である。
【００５３】
《動作例》
次に、無線中継装置１００の動作例を説明する。無線中継装置１００による回り込み波除去ウェイト生成の動作について説明する。
【００５４】
〈動作概要〉
無線中継装置１００の各中継系統は、それぞれＯＮ／ＯＦＦ切替部を有しており、中継
系統を交互にＯＮ／ＯＦＦ切り替えることができる。複数の中継系統のうち、どれか１つの中継系統だけをＯＮにすることで、１つの送信アンテナからのみ中継を行い、１つの送信アンテナのみからの回り込み波が発生する区間（期間）を設ける。切替スイッチをＯＮにする中継系統を順番に変えていくことにより、無線中継装置１００のそれぞれの送信アンテナからの回り込み波除去ウェイトを個別に生成することができる。
【００５５】
１つの送信アンテナからの中継のみを行う区間（期間）は、回り込み波除去ウェイトの収束速度によって決まる。１つの送信アンテナからの中継のみを行う頻度は、回り込み波の伝搬特性の変動速度によって決められる。無線中継装置１００の送信アンテナ及び受信アンテナが固定されている場合、周囲の伝搬環境の変化によってのみ回り込み波の伝搬特性が変動することになる。回り込み波の伝搬特性の変動速度は、端末が受けるフェージング変動に比べると緩やかである。したがって、回り込み波除去ウェイトを常に更新し続ける必要はなく、伝搬特性の変動速度に応じて定期的に更新することが可能である。また、ＲＬＳ（Recursive Least Square）などの収束が速いアダプティブアルゴリズムを回り込み波除去ウェイトの生成に使用することにより、１つの送信アンテナからの中継のみを行う区間（期間）を短く設定することも可能である。
【００５６】
本構成例では、複数ある中継系統のうち、１つの中継系統が、無線中継をしながら、回り込み波除去ウェイトを生成するため、中継を完全にＯＦＦにすることがなく、中継の継続性を維持できる。しかしながら、ＯＮ／ＯＦＦ切替部が切り替える瞬間は、伝搬特性の急激な変化として現れるため、端末における受信特性を劣化させることもある。但し、移動通信では端末の移動に伴い伝搬特性が急激に変化することは起こり得る。適応変調や適応アンテナ制御などのLink Adaptationが行われる通信システムでは、伝搬特性に応じた
アンテナ選択（MIMO/non-MIMOの切替）や通信速度（変調方式や符号化率）が選択される
ため、ＯＮ／ＯＦＦ切り替えの影響は抑えられる。
【００５７】
〈動作フロー〉
図７及び図８は、構成例１の動作フローを示す図である。図７のＡ１は、図８のＡ１に接続する。
【００５８】
無線中継装置１００の第１ＯＮ／ＯＦＦ切替部１５１は、第１中継系統の設定をＯＮにする。また、無線中継装置１００の第２ＯＮ／ＯＦＦ切替部１５２は、第２中継系統の設定をＯＮにする（Ｓ１０２）。「設定をＯＮにする」とは、当該中継系統で中継を行うことを意味する。一方、「設定をＯＦＦにする」とは、送信信号を遮断し、当該中継系統で中継を行わないことを意味する。このとき、無線中継装置１００は、第１中継系統及び第２中継系統を使用して、無線中継を行っている。
【００５９】
ここで、無線中継装置１００の第２ＯＮ／ＯＦＦ切替部１５２は、第２中継系統の設定をＯＦＦにする（Ｓ１０６）。このとき、第１送信アンテナ１３１からのみ、中継信号が送信される。従って、図６のように、回り込み波は、第１送信アンテナから第１受信アンテナへと、第１送信アンテナから第２受信アンテナへの、２波となる。
【００６０】
第１の回り込み波除去ウェイト生成部１４１には、第１中継系統の送信信号のみが入力される。よって、第１の回り込み波除去ウェイト生成部１４１は、従来の簡易なアダプティブアルゴリズムを使用して回り込み波除去ウェイト（ウェイトＷ１）を生成する（Ｓ１０８）。ウェイトＷ１は、第１送信アンテナからの回り込み波による第１中継系統に及ぼす影響を除去するウェイトである。
【００６１】
また、第２の回り込み波除去ウェイト生成部１４２にも、第１中継系統の送信信号のみが入力される。よって、第２の回り込み波除去ウェイト生成部１４２は、従来の簡易なア
ダプティブアルゴリズムを使用して回り込み波除去ウェイト（ウェイトＷ４）を生成する（Ｓ１０８）。ウェイトＷ４は、第１送信アンテナからの回り込み波による第２中継系統に及ぼす影響を除去するウェイトである。
【００６２】
ウェイトＷ１及びウェイトＷ４は、第１中継系統の送信信号に対して乗算される。当該乗算結果は、各中継系統の受信信号から除去される。
【００６３】
ウェイトＷ１及びウェイトＷ４の更新が終わると、無線中継装置１００の第２ＯＮ／ＯＦＦ切替部１５２は、第２中継系統の設定をＯＮにする（Ｓ１１０）。
【００６４】
無線中継装置１００の第１ＯＮ／ＯＦＦ切替部１５１は、第１中継系統の設定をＯＦＦにする（Ｓ１１４）。このとき、第２送信アンテナ１３２からのみ、中継信号が送信される。従って、回り込み波は、第２送信アンテナから第１受信アンテナへと、第２送信アンテナから第２受信アンテナへの、２波となる。
【００６５】
第１の回り込み波除去ウェイト生成部１４１には、第２中継系統の送信信号のみが入力される。よって、第１の回り込み波除去ウェイト生成部１４１は、従来の簡易なアダプティブアルゴリズムを使用して回り込み波除去ウェイト（ウェイトＷ２）を生成する（Ｓ１１６）。ウェイトＷ２は、第２送信アンテナからの回り込み波による第１中継系統に及ぼす影響を除去するウェイトである。
【００６６】
また、第２の回り込み波除去ウェイト生成部１４２にも、第２中継系統の送信信号のみが入力される。よって、第２の回り込み波除去ウェイト生成部１４２は、従来の簡易なアダプティブアルゴリズムを使用して回り込み波除去ウェイト（ウェイトＷ３）を生成する（Ｓ１１６）。ウェイトＷ３は、第２送信アンテナからの回り込み波による第２中継系統に及ぼす影響を除去するウェイトである。
【００６７】
ウェイトＷ２及びウェイトＷ３は、第２中継系統の送信信号に乗算される。当該乗算結果は、各中継系統の受信信号から除去される。
【００６８】
ウェイトＷ２及びウェイトＷ３の更新が終わると、無線中継装置１００の第１ＯＮ／ＯＦＦ切替部１５１は、第１中継系統の設定をＯＮにする（Ｓ１１８）。
【００６９】
無線中継装置１００は、回り込み波除去ウェイトを、定期的に生成することが可能である。
【００７０】
以上により、回り込み波除去ウェイトが生成され、当該ウェイトを使用して、受信信号から回り込み波の影響が除去される。すべての中継系統の設定をＯＮにしている状態では、回り込み波除去ウェイトの更新は行われない。
【００７１】
〈構成例１の作用・効果〉
本構成例の無線中継装置は、複数の中継系統のうち１つの中継系統のみを動作させることができる。本構成例によると、複数の中継系統のうち１つの中継系統のみを動作させることで、送信アンテナ毎に回り込み波除去ウェイトを生成することができる。
【００７２】
本構成例によれば、無線中継を完全に遮断することなく、各中継系統が送信アンテナによる回り込み波の影響を除去する回り込み波除去ウェイトを送信アンテナ毎に生成することができる。
【００７３】
（構成例２）
構成例２は、構成例１との共通点を有する。従って、主として相違点について説明する。
【００７４】
図９は、無線中継装置の構成例２を示す図である。図９の無線中継装置２００は、セルサーチ部２７２、ＢＣＨ（Broadcast Channel）復号部２７４、及び、ＯＮ／ＯＦＦ切替
制御部２７６を有し、各中継系統のＯＮ／ＯＦＦ切替部を報知チャネル等の情報により制御することができる。
【００７５】
無線中継装置２００は、第１受信アンテナ１２１、第２受信アンテナ１２２、いずれかの受信アンテナから信号を受信する受信部１０２、複数の加算部１０８、複数の乗算部１１０を有する。また、無線中継装置２００は、第１の回り込み波除去ウェイト生成部１４１、第２の回り込み波ウェイト生成部１４２、第１ＯＮ／ＯＦＦ切替部１５１、第２ＯＮ／ＯＦＦ切替部１５２、複数の遅延（Delay）部１０６を有する。無線中継装置２００は、第１送信アンテナ１３１、第２送信アンテナ１３２、いずれかの送信アンテナから信号を送信する送信部１０４を有する。さらに、無線中継装置２００は、セルサーチ部２７２、ＢＣＨ（Broadcast Channel）復号部２７４、ＯＮ／ＯＦＦ切替制御部２７６を有する。
【００７６】
セルサーチ部２７２は、基地局に対して初期同期を行うことができる。セルサーチ部２７２は、サブフレーム（Sub-frame）のタイミングを検出することができる。
【００７７】
ＢＣＨ（Broadcast Channel）復号部２７４は、ＢＣＨを復号して報知チャネルの情報
を得ることができる。
【００７８】
ＯＮ／ＯＦＦ切替制御部２７６は、セルサーチ部２７２及びＢＣＨ復号部２７４の情報を基に、第１ＯＮ／ＯＦＦ切替部１５１及び第２ＯＮ／ＯＦＦ切替部１５２を制御する。
【００７９】
ここでは、無線中継装置が２つの中継系統を有する例を示したが、同様の構成により、２以上の中継系統を有する構成とすることも可能である。
【００８０】
《動作例》
次に、無線中継装置２００の動作例を説明する。無線中継装置２００による回り込み波除去ウェイト生成の動作について説明する。
【００８１】
〈動作概要〉
本動作例では、ＯＮ／ＯＦＦ切り替えの影響を軽減するために、無線通信システムにおけるＭＩＭＯ伝送とＭＩＭＯ非対応伝送の切り替えタイミングを利用して、無線中継装置のＯＮ／ＯＦＦ切り替えを行う。例えば、３ＧＰＰで標準化が進められている次世代移動通信システムであるＬＴＥ（Long Term Evolution）では、ＭＢＭＳ（Multimedia Broadcast Multicast Service）チャネルを送信するSub-frame（1msの通信単位）を予め決められた間隔で定期的に挿入している。ＭＢＭＳではＭＩＭＯ伝送は適用されないため、無線中継装置２００では、ＭＢＭＳ伝送用のサブフレーム（Sub-frame）のタイミングで、１つの送信アンテナからの中継のみを行う区間（期間）を設けるようにする。
【００８２】
ＭＢＭＳではＭＩＭＯ伝送が行われないため、１つの中継系統で中継を行っても伝送特性に影響しない。そのため、ＭＩＭＯ伝送が行われる区間（期間）において１つの中継系統で中継を行う場合に比べて、特性への影響を小さく抑えられる。
【００８３】
〈動作フロー〉
図１０及び図１１は、構成例２の動作フローを示す図である。図１０のＢ１は、図１１
のＢ１に接続する。
【００８４】
無線中継装置２００の第１ＯＮ／ＯＦＦ切替部１５１は、第１中継系統の設定をＯＮにする。また、無線中継装置２００の第２ＯＮ／ＯＦＦ切替部１５２は、第２中継系統の設定をＯＮにする（Ｓ２０２）。このとき、無線中継装置２００は、第１中継系統及び第２中継系統を使用して、無線中継を行っている。
【００８５】
無線中継装置２００のセルサーチ部２７２及びＢＣＨ復号部２７４は、第１中継系統の回り込み波除去後の受信信号を、入力される。
【００８６】
セルサーチ部２７２は、受信信号に含まれる同期チャネルの相関演算により、サブフレーム（Sub-frame）のタイミングを検出することができる。また、セルサーチ部２７２は、パイロットチャネルとの相関を取ることで、無線フレーム（Radio Frame）のタイミング及び番号を認識できる。
【００８７】
ＢＣＨ復号部２７４は、セルサーチ部２７２で検出したタイミングを使用して、受信信号に多重されているＢＣＨを復号して報知チャネルの情報を得ることができる。ＢＣＨ復号部２７４は、報知チャネルに含まれる、ＭＢＭＳ信号が多重されるサブフレーム（Sub-frame）や、ＭＩＭＯ伝送を行わないサブフレーム（Sub-frame）の情報を得られる。
【００８８】
ＯＮ／ＯＦＦ切替制御部２７６は、セルサーチ部２７２からのタイミング情報、及び、ＢＣＨ復号部２７４からのサブフレーム（Sub-frame）の情報を基に、ＭＩＭＯ伝送を行
わないタイミングを認識する。
【００８９】
ＯＮ／ＯＦＦ切替制御部２７６は、現在のフレームが、ＭＩＭＯ伝送を行うサブフレーム（Sub-frame）か否かを確認する（Ｓ２０４）。ＭＩＭＯ伝送を行うサブフレーム（Sub-frame）である場合（Ｓ２０４；ＹＥＳ）、次の処理に進まない。ＭＩＭＯ伝送を行わないサブフレーム（Sub-frame）である場合（Ｓ２０４；ＮＯ）、ＯＮ／ＯＦＦ切替制御部２７６は、第２ＯＮ／ＯＦＦ切替部１５２に対して、第２中継系統の設定をＯＦＦにすることを指示する。
【００９０】
無線中継装置２００の第２ＯＮ／ＯＦＦ切替部１５２は、ＯＮ／ＯＦＦ切替制御部２７６からの指示に従い、第２中継系統の設定をＯＦＦにする（Ｓ２０６）。このとき、第１送信アンテナ１３１からのみ、中継信号が送信される。従って、回り込み波は、第１送信アンテナから第１受信アンテナへと、第１送信アンテナから第２受信アンテナへの、２波となる。
【００９１】
第１の回り込み波除去ウェイト生成部１４１には、第１中継系統の送信信号のみが入力される。よって、第１の回り込み波除去ウェイト生成部１４１は、従来の簡易なアダプティブアルゴリズムを使用して回り込み波除去ウェイト（ウェイトＷ１）を生成する（Ｓ２０８）。ウェイトＷ１は、第１送信アンテナからの回り込み波による第１中継系統に及ぼす影響を除去するウェイトである。
【００９２】
また、第２の回り込み波除去ウェイト生成部１４２にも、第１中継系統の送信信号のみが入力される。よって、第２の回り込み波除去ウェイト生成部１４２は、従来の簡易なアダプティブアルゴリズムを使用して回り込み波除去ウェイト（ウェイトＷ４）を生成する（Ｓ２０８）。ウェイトＷ４は、第１送信アンテナからの回り込み波による第２中継系統に及ぼす影響を除去するウェイトである。
【００９３】
ウェイトＷ１及びウェイトＷ４は、第１中継系統の送信信号に対して乗算される。当該
乗算結果は、各中継系統の受信信号から除去される。
【００９４】
ウェイトＷ１及びウェイトＷ４の更新が終わると、無線中継装置２００の第２ＯＮ／ＯＦＦ切替部１５２は、第２中継系統の設定をＯＮにする（Ｓ２１０）。
【００９５】
ＯＮ／ＯＦＦ切替制御部２７６は、現在のフレームが、ＭＩＭＯ伝送を行うサブフレーム（Sub-frame）か否かを確認する（Ｓ２１２）。ＭＩＭＯ伝送を行うサブフレーム（Sub-frame）である場合（Ｓ２１２；ＹＥＳ）、次の処理に進まない。ＭＩＭＯ伝送を行わないサブフレーム（Sub-frame）である場合（Ｓ２１２；ＮＯ）、ＯＮ／ＯＦＦ切替制御部２７６は、第１ＯＮ／ＯＦＦ切替部１５１に対して、第１中継系統の設定をＯＦＦにすることを指示する。
【００９６】
無線中継装置２００の第１ＯＮ／ＯＦＦ切替部１５１は、第１中継系統の設定をＯＦＦにする（Ｓ２１４）。このとき、第２送信アンテナ１３２からのみ、中継信号が送信される。従って、回り込み波は、第２送信アンテナから第１受信アンテナへと、第２送信アンテナから第２受信アンテナへの、２波となる。
【００９７】
第１の回り込み波除去ウェイト生成部１４１には、第２中継系統の送信信号のみが入力される。よって、第１の回り込み波除去ウェイト生成部１４１は、従来の簡易なアダプティブアルゴリズムを使用して回り込み波除去ウェイト（ウェイトＷ２）を生成する（Ｓ２１６）。ウェイトＷ２は、第２送信アンテナからの回り込み波による第１中継系統に及ぼす影響を除去するウェイトである。
【００９８】
また、第２の回り込み波除去ウェイト生成部１４２にも、第２中継系統の送信信号のみが入力される。よって、第２の回り込み波除去ウェイト生成部１４２は、従来の簡易なアダプティブアルゴリズムを使用して回り込み波除去ウェイト（ウェイトＷ３）を生成する（Ｓ２１６）。ウェイトＷ３は、第２送信アンテナからの回り込み波による第２中継系統に及ぼす影響を除去するウェイトである。
【００９９】
ウェイトＷ２及びウェイトＷ３は、第２中継系統の送信信号に乗算される。当該乗算結果は、各中継系統の受信信号から除去される。
【０１００】
ウェイトＷ２及びウェイトＷ３の更新が終わると、無線中継装置２００の第１ＯＮ／ＯＦＦ切替部１５１は、第１中継系統の設定をＯＮにする（Ｓ２１８）。
【０１０１】
以上により、回り込み波除去ウェイトが生成され、当該ウェイトを使用して、受信信号から回り込み波の影響が除去される。すべての中継系統の設定をＯＮにしている状態では、回り込み波除去ウェイトの更新は行われない。
【０１０２】
〈構成例２の作用・効果〉
本構成例によると、無線基地局からＭＩＭＯ伝送を行う区間やＭＩＭＯ伝送を行わない区間の情報を報知することで、無線中継装置では、ＭＩＭＯ伝送を行わない区間（期間）に、回り込み波除去ウェイトを算出することが可能になる。
【０１０３】
本構成例によれば、ＭＩＭＯ伝送を行わない区間（期間）に合わせて１つの送信アンテナからの中継のみを行う区間（期間）を設けるようにすることで、ＯＮ／ＯＦＦ切り替えによる特性劣化の影響を抑えることができる。
【図面の簡単な説明】
【０１０４】
【図１】図１は、無線中継装置の利用形態の例を示す図である。
【図２】図２は、従来の無線中継装置の構成例を示す図である。
【図３】図３は、ＭＩＭＯ通信システムの例を示す図である。
【図４】図４は、図２で示した従来の中継装置を２系統並べることでＭＩＭＯ中継を実現した場合の構成例を示す図である。
【図５】図５は、無線中継装置の構成例を示す図である。
【図６】図６は、無線中継装置の構成例１を示す図である。
【図７】図７は、構成例１の動作フロー（１）を示す図である。
【図８】図８は、構成例１の動作フロー（２）を示す図である。
【図９】図９は、無線中継装置の構成例２を示す図である。
【図１０】図１０は、構成例２の動作フロー（１）を示す図である。
【図１１】図１１は、構成例２の動作フロー（２）を示す図である。
【符号の説明】
【０１０５】
１０      無線中継装置
１００    無線中継装置
１０２      受信部
１０４      送信部
１０６      遅延部
１０８      加算部
１１０      乗算部
１２１      第１受信アンテナ
１２２      第２受信アンテナ
１３１      第１送信アンテナ
１３２      第２送信アンテナ
１４１      第１の回り込み波除去ウェイト生成部
１４２      第２の回り込み波除去ウェイト生成部
１５１      第１ＯＮ／ＯＦＦ切替部
１５２      第２ＯＮ／ＯＦＦ切替部
２００    無線中継装置
２７２      セルサーチ部
２７４      ＢＣＨ（Broadcast Channel）復号部
２７６      ＯＮ／ＯＦＦ切替制御部
【図１】
2010103719.tif 000003
【図２】
2010103719.tif 000004
【図３】
2010103719.tif 000005
【図４】
2010103719.tif 000006
【図５】
2010103719.tif 000007
【図６】
2010103719.tif 000008
【図７】
2010103719.tif 000009
【図８】
2010103719.tif 000010
【図９】
2010103719.tif 000011
【図１０】
2010103719.tif 000012
【図１１】
2010103719.tif 000013